(57)【要約】  【課題】  携帯に便利で、快適な睡眠がとれ、無呼吸やいびきを防止する効果が大きい寝返り装置を提供する。  【解決手段】  エアークッションと、エアークッションに接着された身体装着用具と、音感知センサー及び自動電源スイッチを有するエアーコンプレッサーと、エアーコンプレッサーから供給される空気をエアークッションに送り込む連結管とを有している。さらに、エアークッションは三角柱状の形状を有しており、内部が底面と平行の隔壁によって複数の部屋に仕切られている。  【選択図】  図１
2005237747.tif 000002
【特許請求の範囲】
【請求項１】
膨縮自在なエアークッションと、
前記エアークッションに接着された身体装着用具と、
音感知センサー及び自動電源スイッチを有するエアーコンプレッサーと、
前記エアークッションと前記エアーコンプレッサーを連結し、前記エアーコンプレッサーから供給される空気を前記エアークッションに送り込む連結管とを有し、
前記エアークッションは円柱状の形状を有していることを特徴とする寝返り装置。
【請求項２】
膨縮自在なエアークッションと、
前記エアークッションに接着された身体装着用具と、
音感知センサー及び自動電源スイッチを有するエアーコンプレッサーと、
前記エアークッションと前記エアーコンプレッサーを連結し、前記エアーコンプレッサーから供給される空気を前記エアークッションに送り込む連結管とを有し、
前記エアークッションは三角柱状の形状を有していることを特徴とする寝返り装置。
【請求項３】
膨縮自在なエアークッションと、
前記エアークッションに接着された身体装着用具と、
タイマー及び自動電源スイッチを有するエアーコンプレッサーと、
前記エアークッションと前記エアーコンプレッサーを連結し、前記エアーコンプレッサーから供給される空気を前記エアークッションに送り込む連結管とを有し、
前記エアークッションは円柱状の形状を有していることを特徴とする寝返り装置。
【請求項４】
膨縮自在なエアークッションと、
前記エアークッションに接着された身体装着用具と、
タイマー及び自動電源スイッチを有するエアーコンプレッサーと、
前記エアークッションと前記エアーコンプレッサーを連結し、前記エアーコンプレッサーから供給される空気を前記エアークッションに送り込む連結管とを有し、
前記エアークッションは三角柱状の形状を有していることを特徴とする寝返り装置。
【請求項５】
前記エアークッションは、肩から腰までを支える大きさをであることを特徴とする請求項１から４記載の寝返り装置
【発明の詳細な説明】
【技術分野】
【０００１】
本発明は、睡眠時無呼吸、腰痛、褥創等を予防するための寝返り装置に関するものである。
【背景技術】
【０００２】
就寝中のいびきで悩む者および同一室内で就寝するパートナーは多い。また、発明者の調査によると、いつもいびきをかく人は成人男性の約２０％であり、その約５０％に軽度から高度の睡眠時無呼吸が合併している。睡眠時無呼吸症候群は、昼間の眠気から効率の低下や交通事故などにつながるばかりでなく、高血圧などの生活習慣病や突然死とも関係していることが医学界では周知の事実となってきている。
【０００３】
この睡眠時無呼吸等の防止のために、睡眠中の人の体位を変えるクッションやベッドがある。クッションについては特開平２００１−６１８７５、実開平６−５８９３５、特開２００２−２２３８９６に記載がある。特に、実開平６−５８９３５には、クッションに空気を送りこんでクッションを膨張させることによって睡眠中の人の体位を変えることが記載されている。また、ベッドについては特開平１１−３４２０４９及び特開２００３−３９６に記載がある。特に、特開２００３−３９６には、人の心拍、呼吸、体位を検知してベッドに空気を送りこむことが記載されている。
【特許文献１】特開平２００１−６１８７５
【特許文献２】実開平６−５８９３５
【特許文献３】特開２００２−２２３８９６
【特許文献４】特開平１１−３４２０４９
【特許文献５】特開２００３−３９６
【発明の開示】
【発明が解決しようとする課題】
【０００４】
しかしながら、従来のクッションは、大きさや形が不適切なため完全な側臥位をとれずに、睡眠時の無呼吸を防止する効果がなかったり、腕がしびれたりして生理的欲求にこたえられず睡眠が浅くなったりするなどの問題がある。また、ベッドは装置自体が大きくて携帯も不可能である。
【課題を解決するための手段】
【０００５】
以上の問題を解決するために本発明では、膨縮自在なエアークッションと、エアークッションに接着された身体装着用具と、音感知センサー及び自動電源スイッチを有するエアーコンプレッサーと、エアークッションとエアーコンプレッサーを連結し、エアーコンプレッサーから供給される空気をエアークッションに送り込む連結管とを有している。さらに、エアークッションは円柱状の形状を有しており、大きさが底面の直径３０cm、高さ７０cmで、膨らむ際に身体が捻じれることなく側臥位をとれる。
【発明の効果】
【０００６】
本発明の寝返り装置は上述したような構造を有するので、睡眠時の無呼吸を停止する効果が大きく、生理的欲求も十分満足するので、十分に深い睡眠をとることができる。また、エアークッションは膨縮自在なので、不使用時は装置を小さくできるため、携帯も可能である。
【発明を実施するための最良の形態】
【０００７】
以下に本発明を実施するための最良の形態を示す。
（実施例１）
図１及び図２は本発明の第１の実施例を示す図である。以下、図１及び図２に基づいて本発明の実施例を説明する。
【０００８】
図１に記載のように、本発明の寝返り装置は4つの部品からなる。１は塩化ビニールなど適宣素材にてつくられた膨縮自在なエアークッション、２はエアークッションに接着された身体装着用具たるマジックテープ、３は音感知センサーおよび自動電源スイッチを有するエアーコンプレッサー、４はエアークッション１とエアーコンプレッサー３を連結し、エアーコンプレッサー３から供給される空気をエアークッション２に送り込む連結管である。エアークッション１は肩から腰部までを支えるように、空気を充填した状態で高さ７０ｃｍ、底面の直径が３０ｃｍの円柱状の形状を有している。
【０００９】
なお、エアークッション１が縮んだ際の体積は２０ｃｍ×２０ｃｍ×２０ｃｍ、重さ２ｋｇで旅先にも携帯可能である。
【００１０】
本発明の使用法は以下の通りである。まず、エアークッション１を就寝前に膨らませ、膨らませた状態のエアークッション１をマジックテープ２で背中に装着し、側臥位にて就寝する。
【００１１】
その後一定時間、例えば２０分経過すると空気が抜け、生理的欲求に応じて自然な体位がとれる。仰臥位になった場合、眠りが深くなるにつれて、いびきや睡眠時無呼吸が出現するようになる。音センサーがいびきを感知すると、自動電源スイッチによりエアーコンプレッサー３が作動し、連結管３を通って空気がエアークッション１に流入する。すると、背中に装着されたエアークッション1が肩から腰をゆっくり持ち上げ、途中で身体が捻じれることなく最終的に図２に示すように完全な側臥位になり、睡眠時無呼吸を防止する。その後一定時間、例えば２０分経過すると空気が抜けて、再び任意の体位がとれるようになる。
【００１２】
あるいは、音センサーの代わりにタイマーをセットし、タイマーを用いて定期的に自動電源スイッチを入れ、エアーコンプレッサー3によってエアークッション１に空気を入れて、一定時間ごとに側臥位をとらせるようにしてもよい。
【００１３】
上述したように、本発明の寝返り装置は、単に側臥位をとらせるだけでなく、音センサーでいびきを感知すると自動電源スイッチによりコンプレッサーでエアークッションを膨縮させる。これによって同一体位を続けることによる腕のしびれを防止し、快適な睡眠を確保できる。また、エアークッションの形状を円柱状にして、安定した側臥位をとれるようにしている。本発明の寝返り装置は、体位変換で予防可能な腰痛や寝たきりの人の介護現場での褥創予防にも応用可能であり、夜間の体位変換が自動で行える。その際の、エアークッションの形状は三角柱が妥当である。
【図面の簡単な説明】
【００１４】
【図１】本発明の実施例を示す図である。
【図２】本発明の寝返り装置を身体に装着して、エアークッションが膨らんだ状態を示す図である。
【符号の説明】
【００１５】
１：エアークッション
２：マジックテープ
３：エアーコンプレッサー
４：連結管
【図１】
2005237747.tif 000003
【図２】
2005237747.tif 000004